(57)【要約】【課題】正規な製造メーカ以外の業者がフイルムの詰め替え品を作るときの作業性を複雑にして詰め替えコストを高くする。【解決手段】ファインダ光路を遮らないように回動板２２を設ける。回動板２２に、ファインダ対物レンズ１２と接眼レンズ１６との間のファインダ光路の側方を画定する一方の隔壁２４を回動板２２に一体に設ける。フイルム通路内のフイルム３に当接するように連係レバー２７を設ける。最終コマに撮影を終えた後にフイルム巻き上げが行われ、フイルム３が連係レバー２７よりも左方に給送されたとき、連係レバー２７が回動板２２の係止を解除する。回動板２２が時計方向に回動し、隔壁２４でファインダ光路を塞ぎ、突片２６で回転板３１の回転を阻止してスプロケット３０の回転を禁止する。【選択図】　　　　図３
2004061537.tif 000002
【特許請求の範囲】
【請求項１】
ユニット本体に形成されたフイルム室とカートリッジ室に、フイルム及び撮影済みのフイルムを収納するカートリッジとがそれぞれ製造時に組み込まれたレンズ付きフイルムユニットにおいて、
前記フイルムの最終コマに撮影を終えた後のフイルム巻き上げ動作、または前記フイルム巻き上げ動作によりフイルムの全てが巻き込まれたカートリッジを前記ユニット本体から取り出す操作に連動し、前記ユニット本体に設けられたファインダの光路が遮蔽されることを特徴とするレンズ付きフイルムユニット。
【請求項２】
ユニット本体に形成されたフイルム室とカートリッジ室に、フイルム及び撮影済みのフイルムを収納するカートリッジとがそれぞれ製造時に組み込まれたレンズ付きフイルムユニットにおいて、
前記フイルムの最終コマに撮影を終えた後のフイルム巻き上げ動作、または前記フイルム巻き上げ動作によりフイルムの全てが巻き込まれたカートリッジを前記ユニット本体から取り出す操作に連動し、フイルム巻き上げ動作に伴うフイルムの給送に従動回転するスプロケットの回転がロックされることを特徴とするレンズ付きフイルムユニット。
【請求項３】
ユニット本体に形成されたフイルム室とカートリッジ室に、フイルム及び撮影済みのフイルムを収納するカートリッジとがそれぞれ製造時に組み込まれたレンズ付きフイルムユニットにおいて、
前記フイルムの最終コマに撮影を終えた後のフイルム巻き上げ動作、または前記フイルム巻き上げ動作によりフイルムの全てが巻き込まれたカートリッジを前記ユニット本体から取り出す操作に連動し、前記ユニット本体に設けられたファインダの光路が遮蔽されるとともに、フイルムの巻上げ動作に伴うフイルムの給送に従動回転するスプロケットの回転がロックされることを特徴とするレンズ付きフイルムユニット。
【発明の詳細な説明】
【０００１】
【発明の属する技術分野】
本発明はレンズ付きフイルムユニットに関し、詳しくは、使用済みになったレンズ付きフイルムユニットに正規のメーカ以外の第三者が別のフイルムを入れて商品化する詰め替え行為がしにくくなるように工夫したレンズ付きフイルムユニットに関するものである。
【０００２】
【従来の技術】
レンズ付きフイルムユニットは、その本体部に予めフイルム及びカートリッジを組み込んで製品化される。使用後にはユニット本体ごと現像所に集められ、撮影済みのフイルムが巻き込まれたカートリッジがユニット本体から取り出され、フイルム現像やプリント処理が行われる。空になったユニット本体は製造メーカによって回収され、機能ユニットごとあるいは部品ごとに分解される。シャッタ装置やストロボ装置などの機能ユニットの中には再使用できるものもあるため、機能検査や修理を行って新規の製品にリユースしたり、さらには部品単位では材料ごとに分別して原材料としてのリサイクルを行うようにしている。
【０００３】
こうした中で、正規の製造メーカ以外の第三者が現像所から空になったユニット本体を集め、その中に新たに別のフイルム及びカートリッジを組み込んで商品化した詰め替え品が少なからず出回っている。このような詰め替え品のほとんどはユニット本体を無条件にそのままリユースしたもので、正規の製品と比較して当然に価格も低いため、一般ユーザーが使用する機会も少なくない。ところが、詰め替え品のほとんどは機能検査や動作の確認が適正に行われてはおらず、光漏れ事故、露光不良、巻き上げ不良などの様々なトラブルを引き起こしている。そして光漏れ事故や露光不良などは、現像済みのネガフイルムやプリントをユーザーが手にしてからでないと判らないこともあり、詰め替え品が引き起こすトラブルはレンズ付きフイルムユニット全体の信頼性を損ねる要因にもなっている。
【０００４】
上記背景から、製造メーカでは不正規なフイルム詰め替えを防ぐために種々の対策を講じてきている。例えば、ユニット本体の外装を構成している前カバーや後カバーを超音波溶着により強固に固着したり、また無理に前カバーや後カバーを外したときには内部機構の一部を破損させるなどの工夫がなされている。
【０００５】
【発明が解決しようとする課題】
ところが、以上のような工夫にもかかわらず詰め替え品は後を断たないのが実情である。こうした背景には、強固に固定されている前カバーや後カバーを無理に引き剥がそうとして部分的に破損したとしても、適宜の箇所に遮光テープを貼り付けるなどの応急的な手当で機能の復元が可能であり、未だ詰め替え作業にそれほどの熟練性や手間を要しないことが挙げられる。
【０００６】
本発明は上記事情を考慮してなされたもので、その目的は、詰め替え作業をできるだけ困難にして作業コストをかけさせるようにし、結果的に詰め替え品の商品化を難しくしたレンズ付きフイルムユニットを提供することにある。
【０００７】
【課題を解決するための手段】
本発明は上記目的を達成するために、フイルムの最終コマに撮影を終えた後のフイルム巻き上げ動作、またはフイルムが巻き込まれたカートリッジをユニット本体から取り出す操作に連動してユニット本体に設けられたファインダを塞ぎ、単にフイルムを詰め替えただけでは使用できないようにしてある。また、上記操作に連動し、フイルム給送に従動するスプロケットの回転をロックすることもまた本発明の目的を達成するうえで有効であり、これらの双方を組み合わせて実施することもさらに効果的である。
【０００８】
【発明の実施の形態】
以下、１３５フイルムを使用したレンズ付きフイルムユニットに本発明を摘要した実施形態について添付図面にしたがって説明する。レンズ付きフイルムユニットは図１及び図２に示すように、ユニット本体２の内部に予めロール状にしたフイルム３及びカートリッジ（パトローネ）４を組み込んだ形で製品化される。周知のように、ユニット本体２は、前カバー５と後カバー６とこれらの両カバーで前面側と背面側が覆われた本体基部７とから構成され、本体基部７にはフイルム３を収納するフイルム室と、撮影済みのフイルムが巻き込まれるカートリッジ４の収納室とが形成されている。
【０００９】
本体基部７には、シャッタ機構、シャッタチャージ機構、フイルム巻止め機構などをユニット化した露光ユニットが組み付けられるほか、前カバー５との間にはストロボ装置９が組み込まれている。ユニット本体２の前面には撮影レンズ１０、ストロボ発効部１１、ファインダ対物レンズ１２、ストロボ装置の電源スイッチをオン／オフ操作するノブ１３が設けられ、上面にはシャッタボタン１４、カウンタ窓１５が設けられている。ユニット本体２の背面にはファインダ対物レンズ１２とともに逆ガリレオ式のファインダ光学系を構成する接眼レンズ１６が設けられている。さらに、後カバー６の上方に巻き上げノブ１７が部分的に露呈し、撮影を行った後にこの巻き上げノブ１７を回転操作すると撮影済みのフイルム３がカートリッジ４に巻き込まれてゆく。
【００１０】
フイルム３の巻き上げにより従動スプロケット１８が回転し、このスプロケットが１回転する間にシャッタチャージが行われ、またカウンタ窓１５の奥に組み込まれたフイルムカウンタ板が一歩進して撮影コマ数がカウンタ窓１５を通して観察される。フイルムの１コマ巻き上げが完了した時点で巻き上げノブ１７にロックがかかり、巻止めが行われるとともにシャッタボタン１４の押圧操作が許可されるようになる。
【００１１】
フイルム３の全コマに撮影を終え、さらに巻き上げノブ１７を回転操作することによってフイルム３はその全長分がカートリッジ４に巻き込まれる。なお、最終コマに撮影を行った後のフイルム巻き上げ操作時には、フイルムカウンタ板に設けられたカムによってシャッタチャージが禁止され、また巻止め機構が作用しないようになるので、連続的にフイルム３の巻き上げを行うことができる。また、フイルム３の途中までしか撮影しない状態、あるいはフイルム３の全長分をカートリッジ４に巻き込まない状態で現像所にきたレンズ付きフイルムユニットについては、例えば特開平１０−８３０４３号公報記載の装置などにより、現像所でフイルムの巻き込み処理が行われる。
【００１２】
現像所では、カートリッジ室の底部を光密に覆っている底蓋２０を開放し、フイルムの全長分が巻き込まれているカートリッジ４を軸方向から取り出す。カートリッジ４には、市販の１３５フイルムとともに使用されているパトローネが用いられているから、以後は従来どおりのフイルム現像及びプリント処理を行えばよい。カートリッジ４が取り出された後のユニット本体２は、製造メーカが回収し、機能ユニットや部品としてのリユース、あるいは原材料としてのリサイクルを行って次の製品に利用される。
【００１３】
カートリッジ４を取り出した後のユニット本体２が不正規な第三者による詰め替え品の材料として用いられることを難しくするために、図３及び図４に示すように、ファインダ対物レンズ１２と接眼レンズ１６との間のファインダ光路を遮らないように回動板２２が組み込まれている。ファインダ光路の側方は、ユニット本体２の本体基部に一体成形された隔壁２３と、回動板２２に一体成形された隔壁２４によって区画され、余分な光がファインダ光路内に入り込まないようにしている。
【００１４】
回動板２２にはさらに突片２５，２６が一体に設けられ、突片２５の端部は本体基部７に軸着された連係レバー２７に係合している。連係レバー２７の先端は、ユニット本体２に予め装填されているフイルム３の画面外の上側縁に当接している。このため、回動板２２はバネ２８によって時計方向に付勢されているにもかかわらず、フイルム３が図示位置にあるときには連係レバー２７を介してそのままの位置に留められる。また、フイルム巻き上げ操作により、フイルム３の後端が連係レバー２７の先端を越えて左方に通過すると、連係レバー２７の係止が解かれるため回動板２２はバネ２８の付勢により時計方向に回動し、突片２６がストッパ２９に当接した位置でその回動が停止する。
【００１５】
フイルム３は巻き上げノブ１７の回転操作により図中左方向に給送される。フイルム３には１コマあたり８個ずつのパーフォレーション３ａが設けられており、このパーフォレーション３ａには８歯のスプロケット３０が係合しているため、フイルム３が１コマ分給送される間にスプロケット３０が従動して一回転し、この一回転の間にシャッタチャージが行われる。スプロケット３０には同軸に回転板３１が一体化されている。回転板３１にはロックアーム３２が一体に設けられ、回転板３１とともに回動するようになっている。
【００１６】
上記構成による作用について説明する。通常の使用状態では、フイルム３がフイルム通路内に位置しており、連係レバー２７の反時計方向への回動は阻止されている。したがって、バネ２８の付勢にもかかわらず、回動板２２は図３に示す位置にあり、ファインダ対物レンズ１２と接眼レンズ１６との間のファインダ光路は通常の開成状態にあり、自在にフレーミングを行うことができる。
【００１７】
撮影が進み、最終コマに撮影を終えてフイルム巻き上げを行うと、フイルムカウンタ板に形成されたカムの作用により、シャッタチャージ及び巻止めが行われなくなり、巻き上げノブ１７を継続して回転させることができるようになる。巻き上げノブ１７の回転操作に伴い、フイルム３はカートリッジ４に巻き込まれてゆき、これに従動してスプロケット３０も回転する。
【００１８】
フイルム３の後端が連係レバー２７の先端よりも左方に移動すると、連係レバー２７がフリー状態になる。これにより、バネ２８の付勢によって回動板２２が時計方向に回動し、突片２６がストッパ２９に当接した図５に示す位置まで回動する。回動板２２の回動により、一体の隔壁２４がファインダ対物レンズ１２の背後を塞ぐように移動し、ファインダ光路が遮られる。また、回動板２２が図５に示す位置に回動すると、突片２６が回転板３１に一体に設けられたロックアーム３２の回転軌跡内に入り込むようになる。その後、引き続き巻き上げノブ１７を操作すると、フイルム３の後端もカートリッジ４に巻き込まれる。
【００１９】
こうして使用済みになったレンズ付きフイルムユニットは現像所に集められ、底蓋２０を開けてカートリッジ４の取り出しが行われる。続いてフイルム現像やプリント処理が行われ、ユーザーには現像済みのネガフイルムとプリント写真とが提供される。そしてユニット本体２は正規の製造メーカに回収し、前述したとおり、再利用される。
【００２０】
上述のように、ユーザーが使用を終えた時点では、ファインダ光路が隔壁２４によって塞がれた状態となっているので、このようなユニット本体２を第三者が入手したとしても、単に新たなフイルムを詰め替えただけでは商品とならない。また、単に邪魔な隔壁２４を切除するような作業を行ったとしても、通常使用時にはファインダ光路を区画する一方の隔壁２４がなくなるため、ファインダ観察がしにくくなり、そのままでは商品化ができなくなる。また、回動板２２の突片２６がロックアーム３２の回動軌跡内に入り込んでいるため、スプロケット３０はいずれの方向へも正常には回転しなくなる。
【００２１】
フイルム詰め替え業者がこの障害を解消するには、ユニット本体２の前カバー５を外し、回動板２２をバネ２８の付勢に抗して元の位置に戻し、その姿勢を維持した状態で新たなフイルムの装填作業をしなくてはならず、詰め替えの作業性が著しく悪化する。また、前カバー５や後カバー６を本体基部７に超音波溶着により強固に固定する従来の手法も併せて実施すれば、詰め替え作業の困難性はさらに高くなり、詰め替え作業に熟練性が必要となるだけでなく、作業時間もかなり延長されることになり、詰め替えコストが大幅に上がって詰め替え品の流通はかなり押さえられるようになる。
【００２２】
以上、図示した実施形態に則して説明してきたが、回動板２２を回動させるためには必ずしもフイルム３の有無を検知する連係レバーを用いなくてもよい。例えば、フイルムカウンタ版に設けたカムによって回動板２２を回動させたり、あるいは現像所でカートリッジ４を取り出すときの底蓋２０の開放操作に連動して回動させることも可能である。また、回動板の回転により、ファインダ光路を塞ぐだけにしたり、スプロケットの回転をロックするだけの形態で本発明を実施してもよい。
【００２３】
【発明の効果】
上述のように、本発明のレンズ付きフイルムユニットでは、最終コマに撮影を終えた後のフイルム巻き上げ動作、または前記フイルム巻き上げ動作によりフイルムの全てが巻き込まれたカートリッジを前記ユニット本体から取り出す操作に連動してファインダを塞ぎ、あるいはスプロケットの回転を阻止するようにしているから、ユニット本体に単にフイルムを詰め替えただけでは商品化ができず、そのような商品の流通を防ぐうえで有効である。
【図面の簡単な説明】
【図１】本発明を用いたレンズ付きフイルムユニットの外観図である。
【図２】図２に示すレンズ付きフイルムユニットの断面図である。
【図３】本発明の要部を示す拡大断面図である。
【図４】本発明の要部を示す斜視図である。
【図５】本発明の作用を示す要部拡大断面図である。
【符号の説明】
２　ユニット本体
３　フイルム
４　カートリッジ
１２　ファインダ対物レンズ
２３　接眼レンズ
２０　底蓋
２２　回動板
２４　隔壁
２７　連係レバー
３０　スプロケット
３１　回転板
３２　ロックアーム
【図１】
2004061537.tif 000003
【図２】
2004061537.tif 000004
【図３】
2004061537.tif 000005
【図４】
2004061537.tif 000006
【図５】
2004061537.tif 000007